(57)【要約】【課題】筐体と扉との隙間、及び、段差が無く、良好な外観をもつ蓋開閉装置を提供する。【解決手段】電子機器の筐体に形成される開口部を開塞する扉開閉装置であって、開口部を閉塞する第１の位置と、筐体内部に収納され開口部を開放する第２の位置との間を移動可能な扉２と、扉２の第１の位置において、扉２の一端を付勢するとともに、扉２の移動をガイドするガイドリブ３ｃを有する保持部材３と、扉２の第１の位置において、扉２の他端を付勢するとともに、扉２を押圧することで撓み、扉２の第２の位置への移動を可能とする付勢部材５とを備える。【選択図】図３ｂ
2010200060.tif 000002
【特許請求の範囲】
【請求項１】
筐体に形成される開口部を開塞する扉開閉装置であって、
前記開口部を閉塞する第１の位置と、前記筐体内部に収納され前記開口部を開放する第２の位置との間を移動可能な扉と、
前記扉の第１の位置において、前記扉の一端を付勢するとともに、前記扉の移動をガイドするガイドリブを有する保持部材と、
前記扉の第１の位置において、前記扉の他端を付勢し、前記扉の他端を押圧することによってたわみ、前記扉の第２の位置への移動を可能とする付勢部材と、
を備える扉開閉装置。
【請求項２】
前記扉の第１の位置において、前記扉を押圧することにより、前記扉を第２の位置に移動させる引っ張り部材を、
さらに備える請求項１に記載の扉開閉装置。
【発明の詳細な説明】
【技術分野】
【０００１】
本発明は、ビデオカメラや電子スチルカメラ、携帯電話など各種電子機器に搭載される扉開閉装置に関するものである。
【背景技術】
【０００２】
近年、ビデオカメラやデジタルスチルカメラは、高機能化が著しく、各種入出力端子ジャック、外部メモリーカードスロット、アクセサリー取り付け金具が多く装備される。特に屋外で使用される電子機器は、各種入出力端子の開口部、各種情報媒体の挿入孔などから異物や窒埃が進入し、機器に重大な障害を起こすことがある。そのために各種入出力端子、各種情報媒体、アクセサリー取り付け装置などを覆う扉を設けることが多い。また、各種入出力端子ジャック、外部メモリーカードスロット類がむき出しでは、動作中に誤って情報記録媒体などを取り出してしまうことがあり、また、外観の品位をそこなってしまう。
【０００３】
外観性を高めた扉開閉装置として、特許文献１に開示の技術がある。電子カメラに用いられるコネクタ収容室の開閉蓋は、筐体で支持された支軸を支点に揺動して開閉する。支軸は、その長手方向の両端に位置する第１の軸部、それら第１の軸部の間に設けられ第１の軸部の延在方向と直交する方向に離間し、かつ第１の軸部と平行に延在する第２の軸部とを有している。支軸は、その両端の第１の軸部が軸受部に回転可能に装着されることで配設されている。開閉蓋は軸受部に第２の軸部が装着されることで筐体に配設されている。これにより、外観性を高めると共に、操作性の向上を図り、さらにコネクタ収容室のレイアウト性に優れた電子機器を提供することができる。
【特許文献１】特開２００７−２１２４８７号公報
【発明の開示】
【発明が解決しようとする課題】
【０００４】
しかしながら、上記従来の構成では、開閉扉を開放する際に、外側に開閉扉を開放する必要がある。開放時に開閉扉があるため、入出力端子等を挿入する際の操作性が悪くなるとともに、開放状態における外観が損なわれるという課題がある。
【０００５】
本発明は上記従来の問題点を解決するものであり、開閉扉は、閉めた状態では筐体との段差と隙間が生じず、開放した状態では筐体内に収納され、外観に優れた扉開閉装置を提供することを目的とする。
【課題を解決するための手段】
【０００６】
この目的を達成するために本発明の扉開閉装置は、筐体に形成される開口部を開塞する扉開閉装置であって、前記開口部を閉塞する第１の位置と、前記筐体内部に収納され前記開口部を開放する第２の位置との間を移動可能な扉と、前記扉の第１の位置において、前記扉の一端を付勢するとともに、前記扉の移動をガイドするガイドリブを有する保持部材と、前記扉の第１の位置において、前記扉の他端を付勢し、前記扉の他端を押圧することによってたわみ、前記扉の第２の位置への移動を可能とする付勢部材と、を備える。
【発明の効果】
【０００７】
本発明の扉開閉装置によれば、開閉扉を閉めた状態で筐体と開閉扉との間に段差及び隙間が無く、開閉扉を開けた状態で開閉扉は筐体内に収納されるため、良好な外観を得ることができる。
【発明を実施するための最良の形態】
【０００８】
以下、本発明の扉開閉装置について、図面を用いて詳細に説明する。
【０００９】
（実施の形態１）
図１及び図２は本発明の扉開閉装置が搭載されている電子機器の外観構成を示す斜視図である。本実施の形態１では電子機器の一例として、図示のようなビデオカメラ１１を用いる。
【００１０】
ビデオカメラ１１の側面１１ａには扉２が上下方向移動自由に取り付けられている。図１は扉２を閉じたとき（第１の位置）のビデオカメラ１１の外観を示す斜視図である。図２は扉２を開いたとき（第２の位置）のビデオカメラ１１の外観を示す斜視図である。扉２を閉じることによって、ビデオカメラ１１内部に異物が侵入するのを防いだり、ビデオカメラ１１の動作中に誤ってバッテリーや、記録媒体を取り出してしまうことを防止することができる。
【００１１】
図３は本実施の形態１における扉開閉装置の断面を示す図である。図３ａは扉２が閉じた状態であり、図１におけるＺ−Ｚ部の断面図である。図３ｂは扉２を押し込んだときの状態を示す断面図であり、同じく図１におけるＺ−Ｚ断面図である。図３ｃは扉２が開いたときの状態を示す断面図であり、図２におけるＺ−Ｚ部の断面図である。
【００１２】
まず、概略の構成を説明する。図４は、本発明の実施の形態１における扉開閉装置の分解斜視図である。筐体１はビデオカメラ１１の外殻を形成するもので、合成樹脂成形品や金属ダイカスト等で形成される。扉２は、合成樹脂を射出成形して形成したものである。保持部材３は合成樹脂で形成される。上下付勢部材４は、本実施の形態１では両腕式のねじり線バネを用いており、ピアノ線もしくはステンレス線で製作される。
【００１３】
扉２は上下付勢部材４を挿通する透孔２ａと、筐体１のガイドリブ部と保持部材３との摺動抵抗を軽減する摺動リブ２ｂと、扉２を第１の位置から第２の位置への移動時に指を引っ掛けて操作する取っ手部２ｃとを有している。
【００１４】
保持部材３には入出力端子、記録媒体などの挿抜を行う為の開口部３ｆと、扉の摺動リブと摺動する摺動面３ｂと扉を第２の位置に案内する案内リブ３ｃと上下付勢部材４を挿通する透孔３ｄと筐体１のボスに螺子６を挿通し締結するための透孔３ｄを有している。
【００１５】
上下付勢部材４は扉２に挿通される係止部４ａと保持部材３に挿通される係止部４ｂとを有している。本実施の形態１では１本使用しているのみであるが、幅が広い扉の場合は複数個使用することもでき、これにより引っかかりなどを無くすことができる。
【００１６】
横付勢部材５は、扉２を第２の方向に付勢する付勢部５ａを２箇所と、入出力端子、記録媒体などの開口部５ｂと、筐体に螺子で締結される透孔５ｃとを持っている。本実施の形態１では静電気アース板の機能と兼用する為、板バネの部材を選定したが、そのような機能が不要な場合は線バネを使用すると金型が不要なため、コストを削減できる。
次に組立て方を説明する。筐体１に扉２をのせ、上下付勢部材４の係止部４ａを扉２の透孔２ａに係止する。保持部材３の透孔３ａに上下付勢部材４の係止部４ｂを係止しながら上に乗せる。横付勢部材５を上から載せて、螺子６で締結することで、扉開閉装置が完成する。
【００１７】
以下、扉開閉装置の動作について説明する。
【００１８】
まず図１に示すように扉２が閉じた状態では図３ａに示すように、扉２の下側は取り付け部材３の案内リブ３ｃと筐体１の摺動面の間隙に挟持されている。扉２の上側は横付勢部材５の付勢部５ａによりＶ方向に付勢されている。Ｙ方向には筐体１の案内リブ１１ａの端面と扉２の端面２ｄが係止されていて、移動不可の状態になっている。Ｘ方向は扉２の端面と筐体１の開口部の端面が当接して移動不可である。
【００１９】
このように、扉２を閉じた状態で、扉２の上側は横付勢部材５の付勢部５ａでＶ方向に付勢され、扉２の下側は案内リブ３ｃにより持ち上げられるため、扉２と筐体１とは段差が生じず同一面となり、さらに隙間のない状態とすることができる。
【００２０】
次に図３ｂは、扉２を押圧した途中の状態の断面図である。扉２の上部をＷ方向に押圧すると横付勢部材５の５ａが撓む。このとき、筐体１の案内リブ１１ａと扉２の端面２ｄとの係止状態が解除される。保持部材３と筐体１の案内リブ１１ａとの間にある間隙に扉２の摺動部２ｅが移動可能となるため、扉２の取っ手部２ｃをもって上側にスライドすることが可能となる。このとき、筐体１のリブ１１ａと保持部材３との間の間隙ｔの間に扉２の摺動部２ｄが挿通される。リブ１１ａの高さｈ１より扉２の摺動面２ｄと外観面２ｅとの段差ｈ２の方を低く設定しておけば、外観面２ｅに摺動による傷などが付くことが無く、良好な外観を保つことが可能である。
【００２１】
図３ｃは扉２を開いた第２の位置の状態における扉開閉装置の断面を示す図である。扉２は筐体１と保持部材３の間隙に入りこんでいる。筐体１のリブ１ａの高さｈ１より扉２の摺動面２ｄと外観面２ｅとの段差ｈ２の方が低いため、扉２の外観部２ｅと筐体１との間で摺動による傷などが付くことが無く、良好な外観を保つことが可能である。
【００２２】
このように、扉２は、開いた状態で筐体１の内部に収納されるために、入出力端子等を挿入する際の操作性が向上するとともに、開放状態においても良好な外観を得ることができる。
【００２３】
次に、扉２を開いた状態から閉じた状態に変更するときの動作について説明する。図３ｃにおいて、扉２の取っ手部２ｃをＸ方向に押し下げていくと、図３ｂのように扉２の下端面２ｅは保持部材３の摺動面３ｂ上を摺動していくが、案内リブ３ｃによってＶ方向に移動され、斜めになる。扉２の上側の端面は保持部材３の摺動面３ｄと筐体１のリブ１ａとの間隙を移動するが、横付勢部材５の付勢部５ａによってＶ方向に常時付勢されている。扉２は、リブ１ａの端までくると、リブ１ａによってＶ方向へ移動の規制が解除されるのでＶ方向へ移動できる。それによって図３ａの状態になる。このとき扉２の摺動リブ２ｂが筐体１の摺動面１ｃと当接して筐体１と同一面になる。
（実施の形態２）
図６は本実施の形態１における扉開閉装置の分解斜視図である。図面上、同一名称同一機能のものは同一図番を付与しているので説明は割愛する。
【００２４】
扉２の外観形状はほぼ実施の形態１のものとほぼ同一であるが、透孔２ａがなく、バネ係止部２ｅに変更され、上下付勢バネ７の係止部７ａを係止することが可能になっている。保持部材４も同様に透孔４ａがなく、バネ係止部４に変更され、上下付勢バネ７のフック部７ａを係止することが可能になっている。
【００２５】
上下付勢部材７は実施の形態ではがねじりコイルバネにて第１の位置（閉じた状態）と第２の位置（開いた状態）双方に付勢されていたものが、引っ張りコイルバネに変更され、第２の位置（開いた状態）にのみ変更された。
【００２６】
次に組立て方を説明する。筐体１に扉２をのせ、上下付勢部材7の係止部７ａを扉２の係止部２ｅに係止する。保持部材３の係止部３eに上下付勢部材7の係止部７ｂを係止しながら上に乗せる。横付勢部材５を上から載せて、螺子６で締結することで、扉開閉装置が完成する。
【００２７】
以下、扉開閉装置の動作について説明する。
まず図１に示すように扉２が閉じた状態では図５ａに示すように、扉２の下側は取り付け部材３の案内リブ３ｃと筐体１の摺動面の間隙に挟持されている。扉２の上側は横付勢部材５の付勢部５ａによりＶ方向に付勢されている。Ｙ方向には筐体１の案内リブ１１ａの端面と扉２の端面２ｄが係止されていて、移動不可の状態になっており、なおかつ、リブ１ａの下端面には突起１ｆが形成されており、図中のＷ方向に軽く押されても、撓まない程度の緩やかな係止が施されている。
【００２８】
このように、扉２を閉じた状態で、扉２の上側は横付勢部材５の付勢部５ａでＶ方向に付勢され、扉２の下側は案内リブ３ｃにより持ち上げられるため、扉２と筐体１とは段差が生じず同一面となり、さらに隙間のない状態とすることができる。
【００２９】
次に図５ｂは、扉２を押圧した途中の状態の断面図である。扉２の上部をＷ方向に押圧すると筐体１のリブ突起１ｆの係止が解除され、横付勢部材５の５ａが撓み、このとき筐体１の案内リブ１１ａと扉２の端面２ｄとの係止状態が解除される。保持部材３と筐体１の案内リブ１１ａとの間にある間隙に扉２の摺動部２ｅが移動可能となるため、扉２は上下付勢部材７張力によって第２の位置に移動する。このとき、筐体１のリブ１１ａと保持部材３との間の間隙ｔの間に扉２の摺動部２ｄが挿通される。
【００３０】
図５ｃは扉２を開いた第２の位置の状態における扉開閉装置の断面を示す図である。扉２は筐体１と保持部材３の間隙に入りこんでいる。筐体１のリブ１ａの高さｈ１より扉２の摺動面２ｄと外観面２ｅとの段差ｈ２の方が低いため、扉２の外観部２ｅと筐体１との間で摺動による傷などが付くことが無く、良好な外観を保つことが可能である。
【００３１】
このように、扉２は、開いた状態で筐体１の内部に収納されるために、入出力端子等を挿入する際の操作性が向上するとともに、開放状態においても良好な外観を得ることができる。
【００３２】
次に、扉２を開いた状態から閉じた状態に変更するときの動作について説明する。図５ｃにおいて、扉２の取っ手部２ｃをＸ方向に押し下げていくと、図５ｂのように扉２の下端面２ｅは保持部材３の摺動面３ｂ上を摺動していくが、案内リブ３ｃによってＶ方向に移動され、斜めになる。扉２の上側の端面は保持部材３の摺動面３ｄと筐体１のリブ１ａとの間隙を移動するが、横付勢部材５の付勢部５ａによってＶ方向に常時付勢されている。扉２は、リブ１ａの端までくると、リブ１ａによってＶ方向へ移動の規制が解除されるのでＶ方向へ移動できる。コイルバネ７によってＹ方向に付勢され、また、それによって図３ａの状態になる。このとき扉２の摺動リブ２ｂが筐体１の摺動面１ｃと当接して筐体１と同一面になる。
【００３３】
以上のように本実施の形態２の扉開閉装置では、扉を押圧するのみで、扉を開閉することができるので操作性が高く、解除つまみなどを形成する必要が無いため、小型化が実現でき、コストダウンを図ることができる。
【産業上の利用可能性】
【００３４】
本発明の扉開閉装置によれば、開を閉めた状態で筐体と開との間に段差及び隙間が無く、扉を開けた状態で開閉扉は筐体内に収納されるため、良好な外観を得ることができ、ビデオカメラ、スチルカメラをはじめとして、様々な電子機器に適用することができ、有用である。
【図面の簡単な説明】
【００３５】
【図１】本発明の実施の形態１における扉閉状態の扉開閉装置の斜視図
【図２】本発明の実施の形態１における扉開状態の扉開閉装置の斜視図
【図３ａ】本発明の実施の形態１における扉閉状態の扉開閉装置の断面図
【図３ｂ】本発明の実施の形態１における扉押圧状態の扉開閉装置の断面図
【図３ｃ】本発明の実施の形態１における扉開状態の扉開閉装置の断面図
【図４】本発明の実施の形態１における扉開閉装置の分解斜視図
【図５ａ】本発明の実施の形態２における扉閉状態の扉開閉装置の断面図
【図５ｂ】本発明の実施の形態２における扉押圧状態の扉開閉装置の断面図
【図５ｃ】本発明の実施の形態２における扉開状態の扉開閉装置の断面図
【図６】本発明の実施の形態２における扉開閉装置の分解斜視図
【符号の説明】
【００３６】
１    筐体
１ａ    リブ
１ｂ    ボス
１ｃ    摺動面
２    扉
２ａ    透孔  
２ｂ    摺動リブ
２ｃ    取っ手部
２ｄ    上側端面
２ｃ    下側端面
２ｅ    バネ係止部
３    保持部材
３ａ    透孔
３ｂ    摺動面
３ｃ    案内リブ
３ｄ    透孔
３ｆ    開口部
３ｄ    バネ係止部
４    上下付勢部材
４ａ    係止部
４ｂ    係止部
５    横付勢部材
５ａ    付勢部
５ｂ    開口部
６    螺子
７    コイルバネ
７ａ    係止部
７ｂ    係止部
１１    ビデオカメラ
【図１】
2010200060.tif 000003
【図２】
2010200060.tif 000004
【図３ａ】
2010200060.tif 000005
【図３ｂ】
2010200060.tif 000006
【図３ｃ】
2010200060.tif 000007
【図４】
2010200060.tif 000008
【図５ａ】
2010200060.tif 000009
【図５ｂ】
2010200060.tif 000010
【図５ｃ】
2010200060.tif 000011
【図６】
2010200060.tif 000012